(57)【要約】【課題】強度を可及的に向上したうえで軽量化ならびにブレーキディスクロータの冷却性能の向上を可能とするブレーキダストカバー１の提供。【解決手段】円周上の所定角度領域にブレーキキャリパ回避用の切り欠き２が設けられた環状板からなるブレーキダストカバー１であって、その中心孔１ａの周囲において切り欠き２を除く領域にビード３が設けられている。このビード３は、中心孔１ａの周囲に周方向に延びる本体部３ａと、この本体部３ａの長手方向の数ヶ所から径方向外向きに延びるように分岐する分岐部３ｂと、を備えている。切り欠き２を車両前半分領域に配置させた状態において車両下側領域と車両後半分領域とに通気孔４，５が設けられている。前記車両下側領域における当該領域全体に対する通気孔４の面積の割合が、前記車両後半分領域における当該領域全体に対する通気孔５の面積の割合よりも小さく設定されている。【選択図】図１
2020041550.tif 000002
【特許請求の範囲】
【請求項１】
円周上の所定角度領域にブレーキキャリパ回避用の切り欠きが設けられた環状板からなるブレーキダストカバーであって、
その中心孔の周囲において前記切り欠きを除く領域にビードが設けられており、
このビードは、前記中心孔の周囲に周方向に延びる本体部と、この本体部の長手方向の数ヶ所から径方向外向きに延びるように分岐する分岐部と、を備えており、
前記切り欠きを車両前半分領域に配置させた状態において車両下側領域と車両後半分領域とに通気孔が設けられており、
前記車両下側領域における当該領域全体に対する通気孔の面積の割合が、前記車両後半分領域における当該領域全体に対する通気孔の面積の割合よりも小さく設定されている、ことを特徴とするブレーキダストカバー。
【発明の詳細な説明】
【技術分野】
【０００１】
本発明は、自動車等の車両のブレーキダストカバーに関する。
【背景技術】
【０００２】
例えば特許文献１には、ブレーキディスクのカバー部材において、ブレーキキャリパ収容用の切欠き部を設け、この切欠き部にフランジ片を前記カバー部材の基本面に対して屈曲させるように設けることにより、前記カバー部材の剛性の向上を図るということが記載されている。また、この特許文献１の図４には、前記カバー部材にビードを設けることが記載されている。
【先行技術文献】
【特許文献】
【０００３】
【特許文献１】特開平１１−３１１２７０号公報
【発明の概要】
【発明が解決しようとする課題】
【０００４】
上記特許文献１において、前記フランジ片やビードを設けているものの、前記カバー部材に通気孔を設けることにより、軽量化と冷却性能を向上させるという記述はなく、また、前記通気孔の配置や設置数に関する記述もない。
【０００５】
このような事情に鑑み、本発明は、強度を可及的に向上したうえで軽量化ならびにブレーキディスクロータの冷却性能の向上を可能とするブレーキダストカバーの提供を目的としている。
【課題を解決するための手段】
【０００６】
本発明は、円周上の所定角度領域にブレーキキャリパ回避用の切り欠きが設けられた環状板からなるブレーキダストカバーであって、その中心孔の周囲において前記切り欠きを除く領域にビードが設けられており、このビードは、前記中心孔の周囲に周方向に延びる本体部と、この本体部の長手方向の数ヶ所から径方向外向きに延びるように分岐する分岐部と、を備えており、前記切り欠きを車両前半分領域に配置させた状態において車両下側領域と車両後半分領域とに通気孔が設けられており、前記車両下側領域における当該領域全体に対する通気孔の面積の割合が、前記車両後半分領域における当該領域全体に対する通気孔の面積の割合よりも小さく設定されている、ことを特徴としている。
【０００７】
この構成によれば、前記ビードにより前記ブレーキダストカバー全体の強度を可及的に向上させることが可能になり、また、前記ブレーキダストカバーにおいて車両下側領域および車両後半分領域の各通気孔により軽量化が図れるとともに、車両前後方向に流れる走行風を前記ブレーキダストカバーの背面側から表面側に効率良く取り入れることが可能になる等、ブレーキディスクロータの冷却性能を向上させることが可能になる。
【０００８】
また、前記した通気孔の開口面積を大きくし過ぎないように、また、設置数を多くし過ぎないように工夫しているから、雨天走行時において泥や水が前記した通気孔を通じて背面側から表面側に入りにくくなる。
【０００９】
さらに、前記ブレーキダストカバーにおいて車両上側領域に前記のような通気孔を設けていないから、雨天走行時において車両のタイヤハウスの上側に巻き上げられる泥や水が前記ブレーキダストカバーの背面側から表面側へ向かうことを防止できるようになる。
【発明の効果】
【００１０】
本発明によれば、強度を可及的に向上したうえで軽量化ならびにブレーキディスクロータの冷却性能の向上を可能とするブレーキダストカバーを提供することができる。
【図面の簡単な説明】
【００１１】
【図１】本発明に係るブレーキダストカバーの一実施形態で車両内側から外側を見た背面図である。
【図２】図１の（２）−（２）線断面を矢印方向から見た図である。
【図３】図１の（３）−（３）線断面を矢印方向から見た図である。
【発明を実施するための形態】
【００１２】
以下、本発明を実施するための最良の実施形態について添付図面を参照して詳細に説明する。
【００１３】
図１から図３に本発明の一実施形態を示している。図中、１はブレーキダストカバーの全体を示している。また、Ｆｒは車両前側、Ｒｒは車両後側、Ｕｐは車両上側をそれぞれ示している。
【００１４】
ブレーキダストカバー１は、不図示の右前輪用ブレーキディスクロータに用いられるものであって、円周上の所定角度領域に扇形の切り欠き２が設けられた環状板からなる。
【００１５】
なお、切り欠き２は、不図示のブレーキキャリパとの干渉を回避するために設けられたものである。
【００１６】
このブレーキダストカバー１の中心孔１ａの周囲において切り欠き２を除く領域には、ビード３が設けられている。
【００１７】
このビード３は、本体部３ａと、分岐部３ｂと、を備えている。本体部３ａは、ブレーキダストカバー１の中心孔１ａの周囲に周方向に延びるように設けられている。分岐部３ｂは、本体部３ａの長手方向の数ヶ所（例えば５ヶ所）から径方向外向きに延びるように分岐されている。
【００１８】
なお、本体部３ａは、この実施形態において横向きの略Ｕ字形に形成されている。また、分岐部３ｂは、ブレーキダストカバー１の中心から放射方向に直線状に延びるように形成されている。
【００１９】
このようなブレーキダストカバー１は、図示していないが車両におけるブレーキキャリパの配置に対応して切り欠き２を車両前半分領域（図１の左半分領域）に配置させた状態で車両に設置される。その状態においてブレーキダストカバー１の車両下側領域と車両後半分領域（図１の右半分領域）とには、通気孔４，５が設けられている。但し、ブレーキダストカバー１において車両上側領域には、前記したような通気孔４，５が設けられていない。
【００２０】
具体的に、この実施形態では、前記車両下側領域に１個の通気孔４が設けられており、前記車両後半分領域には計８個の通気孔５が設けられている。
【００２１】
より詳しくは、前記車両後半分領域にはビード３の３つの分岐部３ｂが配置されていて、それらのうちの上２つの分岐部３ｂで挟む扇形領域には計４個の通気孔５が配置されており、また、下２つの分岐部３ｂで挟む扇形領域には計４個の通気孔５が配置されている。
【００２２】
そして、前記車両下側領域に配置される１個の通気孔４は、略長方形形状に形成されており、その開口面積は、前記後側の８個の通気孔５それぞれの開口面積よりも大きく設定されている。
【００２３】
さらに、前記車両下側領域における当該領域全体に対する１個の通気孔４の面積の割合が、前記車両後半分領域における当該領域全体に対する計８個の通気孔５の総面積の割合よりも小さく設定されている。
【００２４】
以上説明したように本発明を適用した実施形態によれば、ビード３によりブレーキダストカバー１全体の強度を可及的に向上させることが可能になり、また、ブレーキダストカバー１において車両下側領域および車両後半分領域の各通気孔４，５により軽量化が図れるとともに、車両前後方向に流れる走行風をブレーキダストカバー１の背面側から表面側に効率良く取り入れることが可能になる等、不図示のブレーキディスクロータの冷却性能を向上させることが可能になる。
【００２５】
また、前記した通気孔４，５の開口面積を大きくし過ぎないように、また、設置数を多くし過ぎないように工夫しているから、雨天走行時において泥や水が前記した通気孔４，５を通じて背面側から表面側に入りにくくなる。
【００２６】
さらに、ブレーキダストカバー１において車両上側領域に前記のような通気孔４，５を設けていないから、雨天走行時において車両のタイヤハウス（不図示）の上側に巻き上げられる泥や水がブレーキダストカバー１の背面側から表面側へ向かうことを防止できるようになる。これらの結果、雨天走行時におけるブレーキ性能に悪影響を与えずに済む。
【００２７】
なお、本発明は、上記実施形態のみに限定されるものではなく、特許請求の範囲内および当該範囲と均等の範囲内で適宜に変更することが可能である。
【００２８】
例えば上記実施形態において、車両下側領域の通気孔４および車両後半分領域の通気孔５の数や大きさについては特に限定されるものではない。
【産業上の利用可能性】
【００２９】
本発明は、ブレーキダストカバーに好適に利用することが可能である。
【符号の説明】
【００３０】
１  ブレーキダストカバー
１ａ  中心孔
２  切り欠き
３  ビード
３ａ  本体部
３ｂ  分岐部
４  車両下側領域の通気孔
５  車両後半分領域の通気孔
【図１】
2020041550.tif 000003
【図２】
2020041550.tif 000004
【図３】
2020041550.tif 000005